【事件の表示】
　特許第３２８２３０９号「電源装置」の請求項１に係る特許に対する特許異議の申立てについて、次のとおり決定する。
【結　論】
　訂正を認める。
　特許第３２８２３０９号の請求項１に係る特許を維持する。
【理　由】
１．訂正の適否
１−１　訂正の内容
（１）請求項１の「交流入力」を「交流電源を可変することにより、出力を負から正に連続的に変化させる電源装置であって、可変される交流入力」と訂正する。
（２）請求項１の「第１のインピーダンス素子」および「第２のインピーダンス素子」をそれぞれ「第１の抵抗」および「第２の抵抗」と訂正する。
（３）発明の詳細な説明の段落番号【０００６】を訂正する（記載省略）
　
１−２　訂正内容の適否の検討
　訂正事項（１）は、交流入力について、限定するものであるから特許請求の範囲の減縮を目的とするものである。そして、この構成は段落番号【００７】、【００１２】に記載されている構成であるので、新規事項の追加に該当せず、また、実質上特許請求の範囲を拡張し、変更するものではない。
  訂正事項（２）は、インピーダンス素子について具体的に限定するものであり、特許請求の範囲の減縮を目的とするものと認められる。そして、この構成も段落番号【０００８】に記載されている構成であるので新規事項の追加に該当せずまた、実質上特許請求の範囲を拡張し、変更するものではない。
　訂正事項（３）は、特許請求の範囲を上記訂正事項（１）、（２）のとおりに訂正したことにより、発明の詳細な説明との対応関係を整合させるための訂正であり、明りょうでない記載の釈明を目的とするものと認められる。そして、この訂正は、新規事項の追加に該当せず、実質上特許請求の範囲を拡張し、変更するものではない。
 　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　
２．異議申立てについての判断
２．１　異議申立の概要
　特許異議申立人雨宮範子は、甲第１号証ないし甲第３号証（下記引用刊行物１ないし３）を提示して、本件の特許請求の範囲の請求項１に係る発明は、甲第１号証に記載の発明であり、また、甲第１号証ないし３号証に記載の発明から容易に発明をすることができたものであるから、特許法第２９条第１項および第２項の規定に該当し、同法第１１３条第２項により取消されるべきである旨主張している。
　
２．２　本件発明
　上記のとおり、訂正が認められるから、本件請求項１に係る特許発明（以下、「本件発明」という。）は、以下のとおりである。
「交流電源を可変することにより、出力を負から正に連続的に変化させる電源装置であって、可変される交流入力が印加される１次巻線を有するトランスの２次巻線に整流回路を接続し、この整流回路の一端より第１の抵抗を介してアースに接続し、他端は第１の定電圧素子を介してアースに接続し、前記整流回路の両端間を第２の定電圧素子と第２の抵抗で分圧し、出力するようにした電源装置。」
　
２．３　取消理由通知で引用された刊行物に記載の発明
（１）引用刊行物１（甲第１号証）：特開平３−２５０３１１号公報
   引用刊行物１には、以下の記載がある。
ａ．「正負出力端を有する直流電源、
　前記直流電源の負出力端と接地との間にそのカソードが接地されるように接続される第１のツェナーダイオード、
　前記直流電源の正出力端と前記第１のツェナーダイオードのアノードとの間に接続されるかつ抵抗、レギュレータ回路および前記第１のツェナーダイオードよりも大きいツェナー電圧を有する第２のツェナーダイオードの直列回路、
　前記第２のツェナーダイオードのアノードと前記レギュレータ回路との接続点から引出される出力端子、および
　前記第１および第２のツェナーダイオードのそれぞれのカソード間に接続されるバイアス抵抗を備える、正負電圧出力切換回路。」（特許請求の範囲）
 ｂ．「トランス１２の一次巻線Ｎ１の一方端には、一次巻線Ｎ１に流れる電流を断続するトランジスタＱ１１のコレクタが接続され、そのエミッタは接地されている。そして、スイッチングトランジスタＱ１１のベースにはスイッチング制御回路１４からの制御信号が与えられ、スイッチングトランジスタＱ１１をオン・オフ制御する。トランスの二次巻線Ｎ２には、ダイオードＤ１１およびＤ１２とコンデンサＣ１１及びＣ１２とからなる整流平滑回路１６が接続されている。」（３頁右上欄３行から１４行）
ｃ．「したがって、合成抵抗Ｒｆすなわち可変抵抗ＶＲ１１あるいはＶＲ１２を調節して分圧条件を変えることによって、電圧降下Ｖｃを変化させ、中圧端子ＯＵＴ２に出力される電圧領域を任意に設定することができる。」（４頁左下欄１１行から１５行）
ｄ．「高圧端子ＯＵＴ１には所定の（＋）高電圧が取り出される。これによって、帯電器１８が放電し、負荷電流ＩＬがツェナーダイオードＺＤ１１に流れ込む。」（４頁左上欄３行から６行）
　以上の記載によれば、引用刊行物１には、「トランス、スイッチングトランジスタ及びスイッチング制御回路からなる交流電源回路と、前記トランスの２次巻線に整流回路を接続して形成した直流電源の正負の出力端、前記負出力端と接地との間にそのカソードが接地されるように接続される第１のツェナーダイオード、前記正出力端と前記第１のツェナーダイオードのアノードとの間に接続されるレギュレータ回路および第２のツェナーダイオードの直列回路、
　前記第２のツェナーダイオードのアノードと前記レギュレータ回路との接続点から引出される出力端子、および
　前記第１および第２のツェナーダイオードのそれぞれのカソード間に接続されるバイアス抵抗を備える、正負電圧出力切換回路。」の発明（以下、「引用発明１」という。）が記載されているものと認められる。
　
（２）引用刊行物２（甲第２号証）：特開平５−１９５９４号公報
  引用刊行物２には、「コロナ放電用コロトロンの安定板又はグリッドと接地との間に、電圧発生素子を接続し、高圧電源４の電流により、電圧発生素子に電圧を発生させ、直流電源又は交流電源の電圧と合成された電圧を、接触加電部に印加するようにした電子写真装置。」（段落０００９ー００１７，図１参照）の発明（以下、「引用発明２」という。）が記載されているものと認められる。
　
（３）引用刊行物３（甲第３号証）：特開平４−４６５６０号公報
 引用刊行物３には、「本発明は、・・・同一のコンバータトランスで正極から負極まで任意の出力極性が得られ、装置の小型化及び低コスト化を図ることが可能な電源装置を得ることを目的としている。」（２頁左上欄１２行から１６行）、
および「１次側がスイッチング制御されるコンバータトランスを有した電源装置において、前記コンバータトランスの二次側に、正極性の出力を得るためのダイオードと、その出力と逆の負極性の出力を得るためのダイオードとを接続し、これらの両極性の出力を混合した出力を負荷へ供給するようにしたことを特徴とする電源装置。」（特許請求の範囲１、以下「引用発明３」という。）と記載されている。
　
２．４　対比・判断
  本件発明と引用発明１を対比すると、引用発明１の「第１のツェナーダイオード」「第２のツェナーダイオード」「バイアス抵抗」は、本件発明の「第１の定電圧素子」「第２の定電圧素子」「第１の抵抗」にそれぞれ相当し、また引用発明１の「交流電源回路」は本件発明の「交流電源」に対応し、また、引用発明１の「正負電圧出力切換回路」も電源装置に関する回路であるから本件発明の「電源装置」に対応し、更に引用発明１の「レギュレータ回路」も本件発明の「第２の抵抗」も電圧降下を生じさせて分圧するための素子として共通し、また引用発明１も出力を正負に変化させる点で本件発明と共通するから、両者は
　「交流電源と、出力を正負に変化させる電源装置であって、交流入力が印加される１次巻線を有するトランスの２次巻線に整流回路を接続し、この整流回路の一端より第１の抵抗を介してアースに接続し、他端は第１の定電圧素子を介してアースに接続し、前記整流回路の両端間を第２の定電圧素子と第２の電圧降下素子で分圧し、出力するようにした電源装置。」
で一致し、以下の点で相違する。
【相違点１】
　本件発明が「交流電源を可変することにより、出力を負から正に連続的に変化させる電源装置」であるのに対し、引用発明１は交流電源は可変ではなく、かつ出力も負から正に連続的に変化させるものではない点。
【相違点２】
　本件発明が分圧するための電圧降下素子として「抵抗」を用いているのに対し、引用発明１は「レギュレータ回路」を用いている点。
　上記相違点について検討する。
【相違点１について】
　引用発明１は、他の負荷へも一定の電圧を供給する必要があるために交流電源を変化させていない。そのために、正負に変化する電圧を負荷に供給するには、レギュレータ回路を制御することにより、段階的に抵抗を変え、かつそこで生じる電圧降下を変えることにより正負に変化する出力電圧を得ている。
　一方、交流電源の１次側を可変にして出力電圧を正負に変化させるものとして、引用発明２，３が認められる。
　しかしながら、引用発明２は、高圧電源も必要とするものであり、交流電源（のみ）からなる本件発明とは基本的に異なるものであり、更に、引用発明３は、１次巻線は１つであるが、フォワード出力型とフライバック出力型のインバータを組合わせたものであり、同じく単一の交流電源を可変にしてなる本件発明とは基本的に異なるものである。
　したがって、交流電源の一次側を可変にして出力電源を正負に変化させるものとして引用発明２，３が存在するが、引用発明１において、その交流電源回路の１次側を可変にすることはそもそも困難であり、さらに、その困難さを超えて、基本構成の異なる引用発明２，３を組合わせる根拠もないから、相違点１に係る構成が容易に得られるとは認められない。
　
【相違点２について】
　引用発明１のレギュレータ回路は、一種の調整回路であるから、この回路の抵抗値を変えることにより電圧降下の大きさを変え、出力を変化させている。  
　このような構成において、あえてレギュレータ回路の抵抗を一定にしておいて印加する電圧を変化させ、レギュレータ回路の電圧降下を変化させることにより出力を変化させるように構成することは、上記相違点１についてで記載したように、他の負荷への配慮のために困難であることは明らかである。
　
　そして、本件発明は、「従来２個の電源が必要であったものが１個の電源で構成できるようになり、回路の簡素化、小型化及びコストダウンが可能となる等の明細書に記載のとおりの効果が得られるものと認められる。
　
３．むすび
　以上のとおりであるから、本件発明は引用刊行物１に記載された発明ではなく、また引用刊行物１ないし３に記載された発明から容易に発明をすることができたものとは認められないから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１５年６月３日（２００３．６．３）
【訂正の要旨】
　ａ　特許請求の範囲の請求項１の「交流入力」を、特許請求の範囲の減縮および明瞭でない記載の釈明を目的として、「
交流電源を可変することにより、出力を負から正に連続的に変化させる電源装置であって、可変される
　ｂ　特許請求の範囲の請求項１の「第１のインピーダンス素子」および「第２のインピーダンス素子」を、特許請求の範囲の減縮および明瞭でない記載の釈明を目的として、それぞれ「第１の
抵抗
抵抗
　ｃ　訂正事項ａ、ｂに伴い、特許請求の範囲の記載と発明の詳細な説明の記載との整合を図るため、明瞭でない記載の釈明を目的として、段落番号【０００６】の「交流入力が印加される１次巻線を有するトランスの２次巻線に整流回路を接続し、この整流回路の一端より第１のインピーダンス素子を介してアースに接続し、他端は第１の定電圧素子を介してアースに接続し、前記整流回路の両端間を第２の定電圧素子と第２のインピーダンス素子で分圧し、出力を取り出す構成とするものである。」を、「
交流電源を可変することにより、出力を負から正に連続的に変化させる電源装置であって、可変される
抵抗
抵抗
（５４）【発明の名称】
電源装置
（５７）【特許請求の範囲】
　【請求項１】　
交流電源を可変することにより、出力を負から正に連続的に変化させる電源装置であって、可変される
抵抗
抵抗
【発明の詳細な説明】
　【０００１】
　【産業上の利用分野】
　本発明は各種電子機器に利用される電源装置に関するものである。
　【０００２】
　【従来の技術】
　従来、この種の電源装置は図２のような構成であった。図２において、２１，３１は交流電源、２２，３２はトランスで、それぞれに１次巻線２２ａ，３２ａ及び２次巻線２２ｂ，３２ｂを備えている。２３，３３は整流用のダイオード、２４，３４は平滑用のコンデンサ、２５，３５は放電用の抵抗、２６は極性を切替えるためのリレーである。
　【０００３】
　このような回路構成の電源装置においての動作は次のようになる。交流入力としての交流電源２１，３１が１次巻線の２２ａ，３２ａに印加され、２次巻線２２ｂ，３２ｂに交流電圧が発生しダイオード２３で正に、ダイオード３３で負に整流され、コンデンサ２４，３４でそれぞれ平滑され、正と負の直流電圧が発生する抵抗２５，３５はそれぞれの放電抵抗である。この正と負の直流電圧のどちらか一方を出力させるためのリレー２６により、極性を選択するようになっていた。
　【０００４】
　【発明が解決しようとする課題】
　このような従来の回路構成では、トランス２２，３２、整流回路が正，負それぞれ必要であり、又極性を切替えるためのリレー２６も必要であり、電源装置が大形化し、価格も高くなっていた。又リレー２６を使用するため信頼性に乏しいという欠点もあった。
　【０００５】
　本発明は以上のような従来の欠点を除去し、簡単な構成で信頼性に富んだ電源装置を提供することを目的とする。
　【０００６】
　【課題を解決するための手段】
　上記の課題を解決するために本発明は、
交流電源を可変することにより、出力を負から正に連続的に変化させる電源装置であって、可変される
抵抗
抵抗
　【０００７】
　【作用】
　この構成により、交流電流を可変することにより、出力を負から正に連続的に変化させることができるものである。
　【０００８】
　【実施例】
　図１は本発明の一実施例の電源装置の回路図であり、１次側の交流電源をコントロールすることにより、出力を正から負に可変する回路である。図１において、１は交流電源、２はトランスで、１次巻線２ａと２次巻線２ｂを備えている。３は２次巻線２ｂで発生した交流を整流するダイオード、４は平滑用コンデンサ、１７は第２の定電圧素子としてのツェナーダイオード、１８は第２のインピーダンス素子としての抵抗であり、このツェナーダイオード１７と抵抗１８の接続点より出力される。１９は整流回路の他端よりアースに接続された第１の定電圧素子としてのツェナーダイオード、２０は整流回路の一端よりアースに接続された第１のインピーダンス素子としての抵抗である。
　【０００９】
　図１の動作は次のようになる。まず１次巻線２ａに交流電源１の電圧が印加され、２次巻線２ｂに交流電圧が発生する。この交流電圧をダイオード３とコンデンサ４で整流，平滑し直流に変換する。ここでこの直流電圧を６００Ｖ、ツェナーダイオード１７と１９のツェナー電圧をそれぞれ５００Ｖと仮定すると、整流回路の一端には正の１００Ｖ、他端には負の５００Ｖが発生する。この電圧をツェナーダイオード１７と抵抗１８により分布された電圧、すなわち、整流回路の一端に発生する正の１００Ｖより、ツェナーダイオード１７のツェナー電圧５００Ｖ分だけ低い負の４００Ｖが出力されることになる。
　【００１０】
　次に直流電圧を１０００Ｖと仮定した場合は次のようになる。整流回路の一端に正の５００Ｖ、他端に負の５００Ｖが発生する。この正の５００Ｖより、ツェナー電圧分だけ低い値の０Ｖが出力される。
　【００１１】
　次に直流電圧を２０００Ｖと仮定した場合は次のようになる。整流回路の一端に正の１５００Ｖ、他端に負の５００Ｖが発生する。この正の１５００Ｖより、ツェナー電圧分だけ低い正の１０００Ｖが発生する。
　【００１２】
　以上のように、交流電源を可変することにより、出力を負から正に連続的に変化することが可能である。
　【００１３】
　【発明の効果】
　以上述べてきたように本発明によれば、従来２個の電源が必要であったものが１個の電源で構成できるようになり回路の簡素化，小型化及びコストダウンが可能となる。又正負切替えをリレーで行っていたものが半導体スイッチで行うか、もしくは入力電源を可変することにより可能となるため、信頼性が向上するとともに、正から負に連続的に可変することや出力電圧の切替えが容易であるため、各種電子機器への応用範囲も広くなる。
【図面の簡単な説明】
　【図１】
　本発明の一実施例の電源装置の回路図
　【図２】
　従来の電源装置の回路図
　【符号の説明】
　１　交流電源
　２　トランス
　２ａ　１次巻線
　２ｂ　２次巻線
　３　ダイオード
　４　コンデンサ
　１７　ツェナーダイオード（第２の定電圧素子）
　１８　抵抗（第２のインピーダンス素子）
　１９　ツェナーダイオード（第１の定電圧素子）
　２０　抵抗（第１のインピーダンス素子）